(57)【要約】【課題】アイロン本体をスタンドに載置する場合に、確実に載置状態にして給電可能にすることで、誤ってベースの温度が低下することなく、使い勝手を向上させることを目的とする。【解決手段】アイロン本体１の受電部３から突出した受電ガイド１２を受電部３の両端の外壁より後部へ突出させたものである。また、給電部７の両端から突出した左右１対の給電ガイド１５のそれぞれ外壁１６を内壁１７より高く構成したものである。【選択図】　図３
2004049781.tif 000002
【特許請求の範囲】
【請求項１】
把手の後部に受電ガイドを有する凹状の受電部を設け、前記受電部内に受電端子を設けたアイロン本体と、前記アイロン本体のベースを下向きにして前上がりに傾斜させて載置する載置部、前記受電端子と接続する電極、および前記電極を覆うとともに、前記受電端子を貫通させる孔を設けた給電部を有するスタンドを具備し、前記給電部は、前記アイロン本体の受電部と対向し、同受電部内に嵌合する凸状に形成するとともに、その両端には前記受電部から突出した受電ガイドを嵌合させる給電ガイドを具備し、前記受電ガイドを前記受電部の両端の外壁より後方へ突出させたコードレスアイロン。
【請求項２】
把手の後部に受電ガイドを有する凹状の受電部を設け、前記受電部内に受電端子を設けたアイロン本体と、前記アイロン本体のベースを下向きにして前上がりに傾斜させて載置する載置部、前記受電端子と接続する電極、および前記電極を覆うとともに、前記受電端子を貫通させる孔を設けた給電部を有するスタンドを具備し、前記給電部は、前記アイロン本体の受電部と対向し、同受電部内に嵌合する凸状に形成するとともに、その両端には前記受電部から突出した受電ガイドを嵌合させる給電ガイドを具備し、左右１対の給電ガイドのそれぞれ外壁を内壁より高く構成したコードレスアイロン。
【発明の詳細な説明】
【０００１】
【発明の属する技術分野】
本発明は、衣類等のしわ伸ばしを行うコードレスアイロンに関するものである。
【０００２】
【従来の技術】
従来、この種のコードレスアイロンは、図５および図６に示すような構成をしていた。以下、その構成について説明する。
【０００３】
アイロン本体１はヒータによって加熱されるベース２と、アイロン本体１の後部に形成した凹状の受電部３と、この受電部３内に突出させた受電端子４を有している。スタンド５は、アイロン本体１のベース２が下向きとなるようにして前上がりに傾斜させて載置する載置部６を有するとともに、受電部３と対向し、同受電部３と嵌合する凸状の給電部７が設けられている。そして、給電部７は、受電端子４と接続されている電極８を覆うという構成をしていた。
【０００４】
【発明が解決しようとする課題】
しかし、このような従来の構成では、アイロン本体１をスタンド５に載置して給電しようとする場合、つまり、凸状の給電部７を凹状の受電部３と嵌合させて、受電端子４を電極８に接続しようとした場合、アイロン本体１の受電部３が給電部７方向にまっすぐに確実にセットされる構成になっていないため、載置時にアイロン本体１が傾いて、受電部３と給電部７の位置がずれると、うまく受電部３と給電部７を嵌合することができない事態が生じていた。そのために、受電端子４が電極８に届かず給電できずに、ベース２の温度が低下してしまい、希望の設定温度でのアイロン掛けができないという問題があった。
【０００５】
本発明は上記のような従来の課題を解決するもので、アイロン本体をスタンドに載置する場合に、確実に載置状態にして給電可能にすることで、誤ってベースの温度が低下することなく、使い勝手を向上させることを目的としている。
【０００６】
【課題を解決するための手段】
本発明は上記の目的を達成するために、受電ガイドを受電部の両端の外壁より後方へ突出させたものである。また、上記の目的を達成するために、左右１対の給電ガイドのそれぞれ外壁を内壁より高く構成したものである。
【０００７】
【発明の実施の形態】
本発明の請求項１に記載した発明は、把手の後部に受電ガイドを有する凹状の受電部を設け、前記受電部内に受電端子を設けたアイロン本体と、前記アイロン本体のベースを下向きにして前上がりに傾斜させて載置する載置部、前記受電端子と接続する電極、および前記電極を覆うとともに、前記受電端子を貫通させる孔を設けた給電部を有するスタンドを具備し、前記給電部は、前記アイロン本体の受電部と対向し、同受電部内に嵌合する凸状に形成するとともに、その両端には前記受電部から突出した受電ガイドを嵌合させる給電ガイドを具備し、前記受電ガイドを前記受電部の両端の外壁より後方へ突出させたものであり、アイロン本体の後部が左右に振れた状態で多少ずれてスタンドに載置された場合でも、受電ガイドが受電部の両端の外壁より後方へ突出しているため、アイロン本体をスタンドに確実に載置状態にして給電可能にすることができ、誤ってベースの温度が低下することなく、使い勝手を向上させることができる。
【０００８】
本発明の請求項２に記載した発明は、把手の後部に受電ガイドを有する凹状の受電部を設け、前記受電部内に受電端子を設けたアイロン本体と、前記アイロン本体のベースを下向きにして前上がりに傾斜させて載置する載置部、前記受電端子と接続する電極、および前記電極を覆うとともに、前記受電端子を貫通させる孔を設けた給電部を有するスタンドを具備し、前記給電部は、前記アイロン本体の受電部と対向し、同受電部内に嵌合する凸状に形成するとともに、その両端には前記受電部から突出した受電ガイドを嵌合させる給電ガイドを具備し、左右１対の給電ガイドのそれぞれ外壁を内壁より高く構成したものであり、アイロン本体の後部が左右に多少傾いてスタンドに載置された場合でも、給電ガイドの外壁を内壁より高く構成しているため、アイロン本体をスタンドに確実に載置状態にして給電可能にすることができ、誤ってベースの温度が低下することなく、使い勝手を向上させることができる。
【０００９】
【実施例】
以下、本発明の実施例について、図面を参照しながら説明する。なお、従来例と同様の構成である部品については、同一番号を付与し説明を省略する。
【００１０】
（実施例１）
図１〜図３に示すように、アイロン本体１は、ヒータによって加熱されるベース２と把手１１とを有し、把手１１の後部に左右一対の受電ガイド１２を有する凹状の受電部３を設け、その受電部３内にヒータと接続された左右一対の受電端子４が後方に突出させて設けられている。そして、受電ガイド１２は、受電部３の両端の外壁１９より後方へ突出させてある。
【００１１】
一方、アイロン本体１を載置するスタンド５は、アイロン本体１のベース２を下向きにして前上がりに傾斜させて載置する載置部６と、受電端子４と接続する商用電源に接続された電極８と、電極８を覆うとともに、受電端子４を貫通させる孔１４を設けた給電部７を有している。
【００１２】
給電部７は、アイロン本体１の受電部３と対向し、凹状に形成した受電部３内に嵌合する凸状に形成されている。給電部７の両端には受電部３から突出した左右一対の受電ガイド１２をそれぞれ嵌合させる左右一対の給電ガイド１５が設けられており、この給電ガイド１５に受電ガイド１２が嵌合することにより、受電部３内の受電端子４と給電部７内に配設された電極８とが接続されるよう構成されている。
【００１３】
上記構成において動作を説明すると、使用者がアイロンがけ作業中の小休止時に、アイロン本体１に通電するためにスタンド５に載置する場合、アイロン本体１のベース２を下向きにして載置部６上に移動させて設置すると、アイロン本体１は前上がりに傾斜して設置され、アイロン本体１の自重によって後方に配設されている給電部７に向かって滑り落ちる。
【００１４】
このとき、アイロン本体１の後部に設けた凹状の受電部３は、受電部３に設けた左右一対の受電ガイド１２が給電部７の両側に設けた給電ガイド１５に嵌合し、給電部７が受電部３の内側に案内されて嵌まり込む。そして、受電部３内の受電端子４は給電部７内に配設された電極８と接続する。
【００１５】
このとき、アイロン本体１の後部が左右に振れて、給電部７に対して受電部３の位置が多少ずれた状態でスタンド５に載置された場合でも、受電部３から突出した受電ガイド１２が受電部３の両端の外壁１９より後部へ突出しているため、受電ガイド１２は給電ガイド１５の溝１８に確実に嵌合され、受電部３の内側に給電部７が案内されて嵌まり込む。このとき、受電端子４は孔１４を貫通して電極８と接続する。
【００１６】
その結果、受電部３と給電部７との嵌合を確実にすることができ、アイロン本体１の載置部６への載置位置がずれても、給電端子４と電極８との電気的接続を確実なものにして、誤ってベースの温度が低下することなく、使い勝手を向上させることができる。
【００１７】
（実施例２）
図１および図３〜図４に示すように、本実施例においては、左右１対の給電ガイド１５のそれぞれ外壁１６を内壁１７より高くした構成としている。他の構成は実施例１と同じである。
【００１８】
上記構成によれば、アイロン本体１の後部が少し左右に傾斜してスタンド５に載置されようとした場合でも、給電部７の両端から突出した左右１対の給電ガイド１５のそれぞれ外壁１６を内壁１７より高くしているため、受電ガイド１２の先端外側の面が給電ガイド１５の外壁１６の内側の面に当り、傾きが矯正されて受電ガイド１２が給電ガイド１５の溝１８に嵌合し、受電部３の内側に給電部７が案内されて嵌まり込む。
【００１９】
その結果、受電部３と給電部７との嵌合を確実にすることができ、アイロン本体１の載置部６への載置角度が傾いても、給電端子４と電極８との電気的接続を確実なものにして、誤ってベースの温度が低下することなく、使い勝手を向上させることができる。
【００２０】
【発明の効果】
本発明の請求項１に記載の発明によれば、把手の後部に受電ガイドを有する凹状の受電部を設け、前記受電部内に受電端子を設けたアイロン本体と、前記アイロン本体のベースを下向きにして前上がりに傾斜させて載置する載置部、前記受電端子と接続する電極、および前記電極を覆うとともに、前記受電端子を貫通させる孔を設けた給電部を有するスタンドを具備し、前記給電部は、前記アイロン本体の受電部と対向し、同受電部内に嵌合する凸状に形成するとともに、前記給電部の両端には前記受電部から突出した受電ガイドを嵌合させる給電ガイドを具備し、前記受電ガイドを前記受電部の両端の外壁より後部へ突出させたことにより、アイロン本体の後部が左右に振れた状態で多少ずれてスタンドに載置された場合でも、受電部を給電部に確実に嵌合させることができ、受電端子と電極とを確実に接続することができるので、誤ってベースの温度が低下することなく、使い勝手を向上させることができる。
【００２１】
本発明の請求項２に記載した発明によれば、把手の後部に受電ガイドを有する凹状の受電部を設け、前記受電部内に受電端子を設けたアイロン本体と、前記アイロン本体のベースを下向きにして前上がりに傾斜させて載置する載置部、前記受電端子と接続する電極、および前記電極を覆うとともに、前記受電端子を貫通させる孔を設けた給電部を有するスタンドを具備し、前記給電部は、前記アイロン本体の受電部と対向し、同受電部内に嵌合する凸状に形成するとともに、前記給電部の両端には前記受電部から突出した受電ガイドを嵌合させる給電ガイドを具備し、左右１対の給電ガイドのそれぞれ外壁を内壁より高い構成にしたことにより、アイロン本体の後部が左右に多少傾いてスタンドに載置された場合でも、受電部を給電部に確実に嵌合させることができ、受電端子と電極とを確実に接続することができるので、誤ってベースの温度が低下することなく、使い勝手を向上させることができる。
【図面の簡単な説明】
【図１】本発明の第一および第二の実施例のコードレスアイロンの要部を断面で示した側面図
【図２】本発明の第一の実施例のコードレスアイロンのアイロン本体の下面図
【図３】本発明の第一および第二の実施例のコードレスアイロンの一部切欠上面図
【図４】本発明の第二の実施例のコードレスアイロンの要部断面図
【図５】従来のコードレスアイロンの要部を断面で示した側面図
【図６】同コードレスアイロンのスタンドの一部切欠上面図
【符号の説明】
１　アイロン本体
２　ベース
３　受電部
４　受電端子
５　スタンド
６　載置部
７　給電部
８　電極
１１　把手
１２　受電ガイド
１４　孔
１５　給電ガイド
１６　外壁
１７　内壁
１９　受電部の両端の外壁
【図１】
2004049781.tif 000003
【図２】
2004049781.tif 000004
【図３】
2004049781.tif 000005
【図４】
2004049781.tif 000006
【図５】
2004049781.tif 000007
【図６】
2004049781.tif 000008